(57)【要約】  保守作業や内部機器類の交換を容易に行うことができ、さらに、省スペース化にも容易に対応することができるエレベータのかご照明装置を提供する。このため、かご室上部に設けられた固定天井部と、その一部がかご室上部に回動自在に支持されることにより、固定天井部に隣接する一端部が上下方向に開閉自在な可動天井部と、可動天井部の一端部に設けられた係合部と、固定天井部の可動天井部に隣接する一端部に設けられた支持部とを備え、この支持部に、固定天井部の一端部及び可動天井部の一端部間に形成された間隙上方を通過して固定天井部側から可動天井部側に突出する突出部を設ける。そして、この突出部に係合部を係合させて、可動天井部の一端部を所定の高さに保持するとともに、突出部を固定天井部の一端部に沿って移動自在に構成し、この突出部を一側に移動させることによって、突出部と係合部との係合状態を解除する。
2007057967.tif 000002
【特許請求の範囲】
【請求項１】
エレベータのかご室上部に設けられたエレベータのかご照明装置において、
エレベータの前記かご室上部に設けられ、前記かご室内を照らす照明体より下方に配置された固定天井部と、
その一部が前記かご室上部に回動自在に支持されることにより、前記固定天井部に隣接する一端部が上下方向に開閉自在な可動天井部と、
前記可動天井部の一端部に設けられた係合部と、
前記固定天井部の前記可動天井部に隣接する一端部に設けられた支持部と、
前記支持部に設けられ、前記固定天井部の一端部及び前記可動天井部の一端部間に形成された間隙上方を通過して前記固定天井部側から前記可動天井部側に突出し、その一部が前記係合部に係合して、前記可動天井部の一端部を所定の高さに保持する突出部と、
を備え、
前記突出部は、前記固定天井部の一端部に沿って移動自在に設けられ、前記突出部を一側に移動させることにより、前記突出部と前記係合部との係合状態が解除可能なことを特徴とするエレベータのかご照明装置。
【請求項２】
固定天井部の一端部及び可動天井部の一端部に形成された間隙に下方から挿入された板状部材によって突出部を一側に移動させることにより、前記突出部と係合部との係合状態が解除可能なことを特徴とする請求項１に記載のエレベータのかご照明装置。
【請求項３】
照明体は、可動天井部の上方に配置され、
前記照明体と前記可動天井部の一端部との間に、固定天井部の一端部及び前記可動天井部の一端部間に形成された間隙から前記照明体の光が漏れることを防止する遮光部が設けられたことを特徴とする請求項１又は請求項２に記載のエレベータのかご照明装置。
【請求項４】
突出部は、固定天井部の一端部に渡って設けられた１つの支持部に複数設けられたことを特徴とする請求項１から請求項３の何れかに記載のエレベータのかご照明装置。
【請求項５】
突出部は固定天井部の一端部に、また、前記突出部に係合する係合部の一部は可動天井部の一端部にそれぞれ平行に配置された板状部材からなり、前記係合部が前記突出部に載置されることにより、前記可動天井部の一端部が所定の高さに保持されることを特徴とする請求項１から請求項４の何れかに記載のエレベータのかご照明装置。
【請求項６】
可動天井部は、固定天井部の両側にそれぞれ設けられたことを特徴とする請求項１から請求項５の何れかに記載のエレベータのかご照明装置。
【発明の詳細な説明】
【技術分野】
【０００１】
この発明は、エレベータのかご室上部に設けられたかご照明装置に関するものである。
【背景技術】
【０００２】
エレベータのかご室上部に設けられたかご照明装置の保守点検が必要な場合や、このかご照明装置の内部機器類の交換が必要な場合、エレベータ保守作業員は、かご室内に持ち込んだ脚立の上に乗って上を向きながら作業を行わなければならず、無理な体勢での長時間の作業が強いられていた。特に、照明板の取り外しといったかご照明装置の下部を開放する作業は、その手順が複雑化しており、困難なものとなっていた。【０００３】
このような問題を解消するため、従来のエレベータのかご照明装置には、取付部材と、この取付部材側に付勢されたボールとによって照明カバーの端部を挟持することにより、かご室内からの照明カバーの着脱を容易にして、保守作業員の作業性を改善させたものが提案されている（例えば、特許文献１参照）。【０００４】
また、エレベータのかごの上部に設けられたウインチからのチェーンをかご室内の照明器具に接続することにより、この照明器具を電動によって上下動可能にしたものも提案されている（例えば、特許文献２参照）。【０００５】
【特許文献１】日本特開２００２−２１１８５８号公報
【特許文献２】日本特開平７−１３７９６１号公報
【発明の開示】
【発明が解決しようとする課題】
【０００６】
特許文献１記載のエレベータのかご照明装置では、板バネによって付勢されたボールのみによって照明カバーの端部が支持されるとともに、照明カバーを取り外す方向と板バネの付勢力の方向とが直交するため、照明カバーの重量が意匠的な制約等により増加した場合には、その重みに耐えられず、照明カバーを支持することができないという問題があった。【０００７】
また、特許文献２記載のエレベータのかご照明装置では、かごの上部に設けられるウインチや照明器具の昇降方向を案内するガイドローラ等の大掛かりな装置が必要となり、コンパクト設計の妨げになるとともに、昇降路内のエレベータ機器類のレイアウトにも影響してしまうという問題が生じていた。【０００８】
この発明は、かかる問題を解決するためになされたもので、その目的は、保守作業や内部機器類の交換を容易に行うことができ、さらに、省スペース化にも容易に対応することができるエレベータのかご照明装置を提供することである。
【課題を解決するための手段】
【０００９】
この発明に係るエレベータのかご照明装置は、エレベータのかご室上部に設けられたエレベータのかご照明装置において、エレベータのかご室上部に設けられ、かご室内を照らす照明体より下方に配置された固定天井部と、その一部がかご室上部に回動自在に支持されることにより、固定天井部に隣接する一端部が上下方向に開閉自在な可動天井部と、可動天井部の一端部に設けられた係合部と、固定天井部の可動天井部に隣接する一端部に設けられた支持部と、支持部に設けられ、固定天井部の一端部及び可動天井部の一端部間に形成された間隙上方を通過して固定天井部側から可動天井部側に突出し、その一部が係合部に係合して、可動天井部の一端部を所定の高さに保持する突出部と、を備え、突出部は、固定天井部の一端部に沿って移動自在に設けられ、突出部を一側に移動させることにより、突出部と係合部との係合状態が解除可能に構成されたものである。
【発明の効果】
【００１０】
この発明は、エレベータのかご室上部に設けられたエレベータのかご照明装置において、エレベータのかご室上部に設けられ、かご室内を照らす照明体より下方に配置された固定天井部と、その一部がかご室上部に回動自在に支持されることにより、固定天井部に隣接する一端部が上下方向に開閉自在な可動天井部と、可動天井部の一端部に設けられた係合部と、固定天井部の可動天井部に隣接する一端部に設けられた支持部と、支持部に設けられ、固定天井部の一端部及び可動天井部の一端部間に形成された間隙上方を通過して固定天井部側から可動天井部側に突出し、その一部が係合部に係合して、可動天井部の一端部を所定の高さに保持する突出部と、を備え、突出部は、固定天井部の一端部に沿って移動自在に設けられ、突出部を一側に移動させることにより、突出部と係合部との係合状態が解除可能に構成されたことにより、保守作業や内部機器類の交換を容易に行うことができ、さらに、省スペース化にも容易に対応することができる。
【図面の簡単な説明】
【００１１】
【図１】この発明の実施の形態１におけるエレベータのかご室の側面図である。
【図２】図１に示すかご室のＡ−Ａ断面図である。
【図３】図２におけるＢ矢視図である。
【図４】図２におけるＣ矢視図である。
【図５】図４に示すエレベータのかご照明装置のＤ部拡大図である。
【図６】図５に示すエレベータのかご照明装置のＥ−Ｅ断面図である。
【図７】図５に示すエレベータのかご照明装置のＦ−Ｆ断面図である。
【図８】図５に示すエレベータのかご照明装置のＨ−Ｈ断面図である。
【図９】この発明の実施の形態１におけるエレベータのかご照明装置の保守動作を示す図７相当図である。
【図１０】この発明の実施の形態１におけるエレベータのかご照明装置の保守動作を示す図５相当図である。
【図１１】この発明の実施の形態１におけるエレベータのかご照明装置の保守動作を示す図８相当図である。
【図１２】この発明の実施の形態２におけるエレベータのかご照明装置の要部平面図である。
【図１３】図１２に示すエレベータのかご照明装置のＫ部拡大図である。
【図１４】図１３に示すエレベータのかご照明装置のＭ−Ｍ断面図である。
【図１５】図１４に示すエレベータのかご照明装置のＮ−Ｎ断面図である。
【図１６】図１２に示すエレベータのかご照明装置のＬ部拡大図である。
【図１７】図１６に示すエレベータのかご照明装置のＰ−Ｐ断面図である。
【図１８】図１７に示すエレベータのかご照明装置のＳ−Ｓ断面図である。
【図１９】この発明の実施の形態２におけるエレベータのかご照明装置の保守動作を示す図１８相当図である。
【図２０】この発明の実施の形態２におけるエレベータのかご照明装置の保守動作を示す図１２相当図である。
【符号の説明】
【００１２】
１  照明体、２  照明カバー部、３  中央天井板、３ａ  立上部、４  右側天井板、
５  左側天井板、５ａ  立上部、５ｂ  水平部、５ｃ  傾斜部、５ｄ  開口部、
５ｅ  遮光板、６  ヒンジ、７  照明板、８  係合板、８ａ  切欠部、９  補強材、
１０  保持具、１１  支持金、１１ａ  底部、１１ｂ  立上部、１１ｃ  突出部、
１１ｄ  長孔、１１ｅ  ネジ孔、１２  固定金、１２ａ  貫通孔、１３  ピン、
１４  バネ、１５  ボルト、１６  座金、１７  ナット、１８  ロックナット、
１９  ナット、２０  鋼尺、２１  係合板、２１ａ  切欠部、２２  保持具、
２３  支持金、２３ａ  底部、２３ｂ  立上部、２３ｃ  立上部、２３ｄ  突出部、
２３ｅ  貫通孔、２３ｆ  貫通孔、２４  第１固定金、２４ａ  貫通孔、
２５  第２固定金、２５ａ  ネジ孔、２６  ピン、２７  バネ、２８  ナット
【発明を実施するための最良の形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【実施例１】
【００１４】
図１はこの発明の実施の形態１におけるエレベータのかご室の側面図、図２は図１に示すかご室のＡ−Ａ断面図、図３は図２におけるＢ矢視図である。図１乃至図３において、１はかご室上部に設けられ、かご室内を照らす蛍光灯等からなる２つの照明体、２は照明体１を覆うようにかご室上部に設けられ、かご室上部の全体に渡るその下面がかご室天井面を形成する照明カバー部である。【００１５】
ここで、上記照明カバー部２は、かご室の出入口側から見て中央部の前後に渡って配置された中央天井板３と、この中央天井板３の両側に前後に渡って配置された右側天井板４及び左側天井板５とから構成される。上記中央天井板３は、化粧塗装された鋼板又はアルミ製のパネル等からなり、かご室上部に吊り下げ固定されて、照明体１より下方に配置されている。そして、その左右両端部には、縁部が所定距離上方に曲成されることにより、かご室の前後に渡って立上部３ａが形成されている。なお、実施例１における固定天井部は、かご室上部に設けられた上記中央天井板３からなる。【００１６】
また、上記左側天井板５は、中央天井板３と同様に化粧塗装された鋼板又はアルミ製のパネル等からなり、かご室の左側の側壁に隣接する左側端部の前側及び後側が、かご室の前後方向に回動軸を有するヒンジ６によって、かご室上部に対して回動自在に支持されている。即ち、この左側天井板５の中央天井板３に隣接する右側端部は、ヒンジ６を中心に上下方向に移動し、照明カバー部２の一部を開閉自在に構成する。また、左側天井板５の右側端部には、その縁部が所定距離上方に曲成されることにより、かご室の前後に渡って立上部５ａが設けられている。なお、左側天井板５のこの立上部５ａと中央天井板３の一方の立上部３ａとの間には、所定の幅Ｇ（例えば、２ｍｍ）を有する間隙が形成されている。【００１７】
また、左側天井板５は、かご室天井面を形成する部分が、中央天井板３側の水平部５ｂと、この水平部５ｂからかご室の左側の側壁に向かうに従って下方に傾斜する傾斜部５ｃとによって構成されている。そして、上記傾斜部５ｃには、その全体に渡って略四角形状を呈する開口部５ｄが形成されており、この開口部５ｄを塞ぐように、所定の透光性を有する照明板７（例えば、乳白色のアクリル板）が傾斜部５ｃの上方から載置されて固定されている。【００１８】
また、５ｅは左側天井板５の水平部５ｂに立設された遮光板（遮光部）である。この遮光板５ｅは、水平部５ｂ上方に配置された一方の照明体１から照射された光が、中央天井板３の左側端部と左側天井板５の右側端部との間に形成された間隙から漏れることを防止するためのものであり、一方の照明体１の中央天井板３側を覆うように、この照明体１と左側天井板５の右側端部との間に配置されている。また、遮光板５ｅは、照明体１に対向する面に反射率の高い塗装等が施されており、照明体１から中央天井板３側に照射される光を反中央天井板３側に反射させる。かかる構成を有することにより、照明体１からの光は、中央天井板３の左側端部と左側天井板５の右側端部との間に形成された間隙から漏れることはなく、左側天井板５の上方で拡散され、照明板７を通ってかご室内に照射される。【００１９】
一方、右側天井板４も、上記左側天井板５と同様の構成を有しており、他方の照明体１からの光は、右側天井板４の上方で拡散されて、照明板７を通ってかご室内に照射される。なお、実施例１における可動天井部は、上記左側天井板５と上記右側天井板４とからなる。【００２０】
次に、エレベータのかご室上部に設けられたかご照明装置の内部構造について詳細に説明する。図４は図２におけるＣ矢視図であり、かご室上部に設けられたかご照明装置の一部を上方から見た状態を示している。また、図５は図４に示すエレベータのかご照明装置のＤ部拡大図、図６は図５に示すエレベータのかご照明装置のＥ−Ｅ断面図、図７はそのＦ−Ｆ断面図、図８はそのＨ−Ｈ断面図である。【００２１】
図４乃至図８において、左側天井板５の右側端部の上面には、かご室の前後に渡って、縦断面略Ｚ字状を呈する係合板８（係合部）が、接着又は溶接等によって固定されている。この係合板８は、中央天井板３側の端部（以下、「上端部」という）が、左側天井板５の右側端部と所定の間隔を有して対向するように配置されている。即ち、板状部材からなる係合板８の上端部は、左側天井板５の右側端部の上方において、この右側端部と平行に配置されている。そして、係合板８の上端部には、中央天井板３側に開口する凹状の複数（図４においては３つ）の切欠部８ａが、所定間隔ごとに形成されている。【００２２】
一方、左側天井板５に隣接する中央天井板３の左側端部の上面には、かご室の前後に渡って、補強材９が溶接等で固定されている。この補強材９は、薄板が曲成されることによって形成されており、その上面が中央天井板３の左側端部の上面から所定の高さとなるように配置されている。そして、補強材９の上面には、係合板８の上端部に形成された各切欠部８ａに対応する位置に、複数の保持具１０が設けられている。【００２３】
次に、上記保持具１０の構成について説明する。
上記保持具１０は、支持金１１（支持部）と、固定金１２と、ピン１３と、バネ１４とから構成される。ここで、上記支持金１１は、前側縁部と後側縁部とが上方に曲成されることにより、補強材９の上面に載置された底部１１ａの前後に、立上部１１ｂが形成されている。また、１１ｃは底部１１ａから左側天井板５側に向かって突設された突出部である。この突出部１１ｃは、中央天井板３の一端部に平行に配置された板状部材からなり、中央天井板３と左側天井板５との隣接する端部間に形成された間隙上方を通過して、中央天井板３側から左側天井板５側に突出するように配置されている。そして、その先端部に係合板８の上端部が載置されるように突出部１１ｃが係合板８に下方から係合して、左側天井板５の右側端部を所定の高さに保持し、左側天井板５の下面と中央天井板３の下面とを一続きのかご室天井面として形成する。【００２４】
また、上記支持金１１には、底部１１ａに、かご室の前後方向に長手方向を有する２つの長孔１１ｄが形成されている。そして、補強材９の上面から先端ネジ部が突出するように補強材９に溶接固定されたボルト１５が、各長孔１１ｄに遊貫されている。なお、１６は各ボルト１５に遊貫されて支持金１１の底部１１ａ上面に載置された座金、１７はその下面が座金１６上面と僅かな隙間Ｇ１を有してボルト１５に螺嵌されたナット、１８はナット１７の上方からボルト１５に螺嵌されて、ナット１７とともにダブルナット締めされたロックナットを示している。かかる構成を有することにより、支持金１１は、長孔１１ｄの長手方向、即ち、中央天井板３の右側端部に沿って所定距離移動自在に構成され、その移動の際のがたつきも最小に抑えられている。【００２５】
また、略Ｌ字状に曲成された上記固定金１２は、補強材９の上面から突出する上端部が、支持金１１の一方の立上部１１ｂ（実施例１においては、後側の立上部１１ｂ）に所定の間隔を有して対向するように配置され、下端部が補強材９の上面に溶接等により固定されている。なお、支持金１１の一方の立上部１１ｂに形成されたネジ孔１１ｅと、固定金１２の上端部に形成された貫通孔１２ａとは、略一直線状となるように設けられている。【００２６】
また、上記ピン１３は、固定金１２に形成された貫通孔１２ａに、反支持金１１側から挿通され、その先端部に設けられたネジ部が、支持板１１の立上部１１ｂに形成されたネジ孔１１ｅに螺嵌されている。また、ピン１３の先端部には、ナット１９がさらに螺嵌されて、抜け防止が図られている。一方、上記バネ１４は、中空部にピン１３が挿通され、固定金１２の上端部及び支持金１１の一方の立上部１１ｂ間に配置されている。即ち、支持金１１は、バネ１４によって、反固定金１２側に常時付勢されている。【００２７】
ここで、図４乃至図８は、支持金１１がバネ１４に付勢されることによって最も反固定金１２側、即ち、かご室の前側に移動し、固定金１２の上端部及び支持金１１の一方の立上部１１ｂ間が距離Ｊとなった状態を示している。かかる状態では、支持金１１がかご室の前側に移動することにより、ボルト１５が長孔１１ｄの後側に配置される。また、支持金１１の突出部１１ｃの先端部は、係合板８に形成された切欠部８ａよりも所定距離前側に位置している。したがって、支持金１１の突出部１１ｃ先端部が、係合板８の上端部の下方に配置されてこの上端部を支持することにより、左側天井板５の右側端部が所定の高さに保持される。【００２８】
なお、右側天井板４の左側端部及びこの右側天井板４に隣接する中央天井板３の右側端部も、上記と同様の構成を有している。そして、複数の保持具１０によって、右側天井板４の左側端部が所定の高さに保持されている。【００２９】
次に、エレベータ保守作業員がかご室上部に設けられたかご照明装置の保守点検や照明体１の交換等を実施するために、かご室内から右側天井板４や左側天井板５を開放する際の動作について説明する。図９はこの発明の実施の形態１におけるエレベータのかご照明装置の保守動作を示す図７相当図、図１０はその図５相当図、図１１はその図８相当図である。【００３０】
図９乃至図１１において、エレベータ保守作業員は、かご室内に持ち込まれた脚立等に上り、かご照明装置の下方から、中央天井板３と左側天井板５との隣接する端部間に形成された幅Ｇの間隙に、例えば、鋼尺２０を下方から挿入する。なお、この鋼尺２０は、その厚みが幅Ｇよりも薄く、所定の長さを有する板状部材から構成される。そして、鋼尺２０の上端部により、支持金１１の突出部１１ｃを、バネ１４の付勢力に抗して一側（実施例１においては、かご室の後側）に移動させる。鋼尺２０によって支持金１１の突出部１１ｃを係合板８の切欠部８ａの位置まで移動させると、支持金１１の突出部１１ｃと係合板８の上端部との係合状態が解除され、左側天井板５の右側端部が下方に回動自在となる。なお、図１０は支持板１１の突出部１１ｃと係合板８の上端部との係合状態が解除された状態を示している。その後、エレベータ保守作業員は、左側天井板５の右側端部を下方に移動させて、照明体１の交換や保守作業等を実施する。【００３１】
また、照明体１の交換後、保守作業員は、上記と逆の手順により、左側天井板５を閉じることができる。即ち、保守作業員は、先ず、左側天井板５の右側端部をヒンジ６を中心として上方に移動させる。そして、左側天井板５の下面を中央天井板３の下面と同高さに合わせるとともに、左側天井板５と中央天井板３との間に形成された間隙に鋼尺２０を挿入して、この鋼尺２０によって支持金１１の突出部１１ｃを、係合板８の切欠部８ａまで移動させる。そして、支持金１１の突出部１１ｃを係合板８の上端部の下方に配置させる。【００３２】
なお、上記と同様の手順及び動作によって右側天井板４の開閉が可能である。【００３３】
この発明の実施例１によれば、エレベータ保守作業員は、左側天井板５及び右側天井板４の開閉を、かご室内からの鋼尺２０を用いた簡単な操作のみで行うことができ、かご照明装置の保守点検や内部機器類の交換等を容易に実施することが可能となる。また、中央天井板３の両側に形成された間隙の幅が小さいために意匠性にも優れるとともに、右側天井板４や左側天井板５の重量が増加した場合でも、支持金１１と係合板８とによって確実に保持することが可能である。【００３４】
また、左側天井板５の右側端部及び右側天井板４の左側端部を支持する支持金１１の突出部１１ｃ、並びに、この突出部１１ｃに係合する係合板８の上端部が略水平に配置された板状部材からなるとともに、突出部１１ｃを水平に移動させることによって突出部１１ｃと係合板８の上端部との係合状態を解除することができるため、かご照明装置の鉛直方向の厚みを抑制して、省スペース化にも容易に対応し得る。したがって、昇降路内の各種機器類のレイアウトにも影響を与えることがない。【００３５】
なお、実施例１のように、中央天井板３の両側に可動天井部からなる右側天井板４と左側天井板５とを設けて、中央天井板３寄りに照明体１を配置することによって、右側天井板４や左側天井板５の開閉動作と、照明体１の交換作業とを一箇所で行うことが可能となり、さらに作業性を向上させることも可能である。
【実施例２】
【００３６】
図１２はこの発明の実施の形態２におけるエレベータのかご照明装置の要部平面図、図１３は図１２に示すエレベータのかご照明装置のＫ部拡大図、図１４は図１３に示すエレベータのかご照明装置のＭ−Ｍ断面図、図１５は図１４に示すエレベータのかご照明装置のＮ−Ｎ断面図、図１６は図１２に示すエレベータのかご照明装置のＬ部拡大図、図１７は図１６に示すエレベータのかご照明装置のＰ−Ｐ断面図、図１８は図１７に示すエレベータのかご照明装置のＳ−Ｓ断面図である。【００３７】
図１２乃至図１８において、係合板２１（係合部）は、実施例１における係合板８と同様の構成を有しており、板状部材からなるその上端部が、左側天井板５の右側端部の上方において、この右側端部と平行に配置されている。そして、係合板２１の上端部には、中央天井板３側に開口する幅Ｑの凹状の複数（図１２においては５つ）の切欠部２１ａが、所定間隔ごとに形成されている。また、左側天井板５に隣接する中央天井板３の左側端部の上面には、実施例１と同様の補強材９が溶接等で固定されている。そして、補強材９の上面には、一つの保持具２２が設けられている。【００３８】
上記保持具２２は、支持金２３（支持部）と、第１固定金２４と、第２固定金２５と、ピン２６と、バネ２７とから構成される。ここで、上記支持金２３は、中央天井板３の左側端部に渡って設けられ、前側縁部と後側縁部とが上方に曲成されることにより、補強材９の上面に載置された底部２３ａの前後に、立上部２３ｂが形成されている。なお、支持金２３は、補強材９と同様にかご室の前後方向に長手方向を有しており、中央天井板３の前後に渡って設けられた補強材９よりも所定距離短くなるように設けられている。また、２３ｃは、補強のために底部２３ａの右側縁部が上方に曲成された立上部、２３ｄは底部２３ａから左側天井板５側に向かって突設された幅Ｒ（＜Ｑ）の複数（図１２においては５つ）の突出部である。各突出部２３ｄは、中央天井板３の一端部に平行に配置された板状部材からなり、中央天井板３と左側天井板５との隣接する端部間に形成された間隙上方を通過して、中央天井板３側から左側天井板５側に突出するように配置されている。そして、その先端部に係合板２１の上端部が載置されるように突出部２３ｄが係合板２１に下方から係合して、左側天井板５の右側端部を所定の高さに保持し、左側天井板５の下面と中央天井板３の下面とを一続きのかご室天井面として形成する。【００３９】
また、略Ｌ字状に曲成された上記第１固定金２４及び第２固定金２５は、補強材９の上面から突出する各上端部が、支持金２３を間に挟んで対向するように配置され、その下端部が補強材９の上面に溶接等により固定されている。なお、支持金２３の前側に配置された第１固定金２４の上端部に形成された貫通孔２４ａと、第１固定金２４の上端部に対向する支持金２３の立上部２３ｂに形成された貫通孔２３ｅと、支持金２３の後側に配置された第２固定金２５の上端部に形成されたネジ孔２５ａと、第２固定金２５の上端部に対向する支持金２３の立上部２３ｂに形成された貫通孔２３ｆとは、略一直線状となるように設けられている。【００４０】
また、上記ピン２６は、第１固定金２４に形成された貫通孔２４ａに、反支持金２３側から挿通され、支持金２３の各立上部２３ｂに形成された貫通孔２３ｅ及び２３ｆを通って、その先端部に設けられたネジ部が、第２固定金２５に形成されたネジ孔２５ａに螺嵌されている。また、ピン２６の先端部には、ナット２８がさらに螺嵌されて抜け防止が図られている。一方、上記バネ２７は、中空部にピン２６が挿通され、第２固定金２５の上端部及び支持金２３の後側の立上部２３ｂ間に配置されている。即ち、支持金２３は、バネ２７によって、反第１固定金２４側に常時付勢されている。【００４１】
ここで、図１２乃至１８は、支持金２３がバネ２７に付勢されることによって最も反第２固定金２５側、即ち、かご室の前側に移動し、第２固定金２５の上端部及び支持金２３の後側の立上部２３ｂ間が距離Ｔとなった場合を示している。かかる状態では、支持金２３がピン２６の軸方向に沿ってかご室の前側に移動することにより、第１固定金２４の上端部と支持金２３の前側の立上部２３ｂとが接触する。また、支持金２３の各突出部２３ｄの先端部は、係合板２１に形成された各切欠部２１ａよりも所定距離前側に位置している。したがって、支持金２３の各突出部２３ｄ先端部が、係合板２１の上端部の下方に配置されてこの上端部を支持することにより、左側天井板５の右側端部が所定の高さに保持される。【００４２】
なお、右側天井板４の左側端部及びこの右側天井板４に隣接する中央天井板３の右側端部も、上記と同様の構成を有している。そして、支持金２３の各突出部２３ｄによって、右側天井板４の左側端部が所定の高さに保持されている。【００４３】
次に、エレベータ保守作業員がかご室上部に設けられたかご照明装置の保守点検や照明体１の交換等を実施するために、かご室内から右側天井板４や左側天井板５を開放する際の動作について説明する。図１９はこの発明の実施の形態２におけるエレベータのかご照明装置の保守動作を示す図１８相当図、図２０はその図１２相当図である。【００４４】
図１９及び図２０において、エレベータ保守作業員は、かご室内に持ち込まれた脚立等に上り、かご照明装置の下方から、中央天井板３と左側天井板５との隣接する端部間に形成された幅Ｇの間隙に、例えば、鋼尺２０を下方から挿入する。そして鋼尺２０の上端部により、支持金２３の一つの突出部２３ｄを、バネ２７の付勢力に抗して一側に移動させる。ここで、各突出部２３ｄは支持金２３に設けられているため、一つの突出部２３ｄを一側に移動させることにより、他の突出部２３ｄも連動して同方向に移動する。鋼尺２０によって支持金２３の突出部２３ｄを係合板２１の切欠部２１ａの位置まで移動させると、支持金２３の各突出部２３ｄと係合板２１の上端部との係合状態が一斉に解除され、左側天井板５の右側端部が下方に回動自在となる。その後、エレベータ保守作業員は、左側天井板５の右側端部を下方に移動させて、照明体１の交換や保守作業等を実施する。【００４５】
この発明の実施例２によれば、鋼尺２０によって支持金２３の一つの突出部２３ｄをかご室の後側に移動させることにより、支持金２３全体が移動して、全ての突出部２３ｄの係合状態を解除させることができるため、保守作業員がかご室内で行う作業性をさらに向上させて、保守作業員に掛かる負担を減少させることが可能となる。なお、その他は実施の形態１と同様の構成及び効果を有する。
【産業上の利用可能性】
【００４６】
以上のように、この発明にかかるエレベータのかご照明装置によれば、鋼尺によって、かご室内から容易にかご照明装置の下部を開放することができ、かご照明装置の保守作業や内部機器類の交換等を容易に実施することができる。また、支持金の突出部と係合板の上端部とを水平に配置された板状部材で構成し、突出部を水平に移動させることによって支持部の突出部と係合板の上端部との係合状態を解除することができるため、かご照明装置の省スペース化にも容易に対応することが可能となる。
【図１】
2007057967.tif 000003
【図２】
2007057967.tif 000004
【図３】
2007057967.tif 000005
【図４】
2007057967.tif 000006
【図５】
2007057967.tif 000007
【図６】
2007057967.tif 000008
【図７】
2007057967.tif 000009
【図８】
2007057967.tif 000010
【図９】
2007057967.tif 000011
【図１０】
2007057967.tif 000012
【図１１】
2007057967.tif 000013
【図１２】
2007057967.tif 000014
【図１３】
2007057967.tif 000015
【図１４】
2007057967.tif 000016
【図１５】
2007057967.tif 000017
【図１６】
2007057967.tif 000018
【図１７】
2007057967.tif 000019
【図１８】
2007057967.tif 000020
【図１９】
2007057967.tif 000021
【図２０】
2007057967.tif 000022
【国際調査報告】
2007057967.tif 000023
2007057967.tif 000024
2007057967.tif 000025
2007057967.tif 000026